(57)【要約】  ランセット（６）の戻り用スプリング配列がランセットと一体成形された一対の波状プラスチックウェブ（１４）によって提供される。２つのウェブ（１４）の波状体は互いに位相が異なるように表わされている。２つのウェブ（１４）はフレキシブルで、駆動スプリングの開放によってウェブの先端（１５）がランセットホルダーの内側にぶつかると折り畳まれる。折り畳まれたウェブ（１４）に蓄えられたエネルギーは次に解放されて前記ランセットを前記ランセットホルダー中に押し返す。このようにランセットを積極的に押し返すことは、操作後に針（５）が安全に前記ランセットホルダーの中に引っ込むことを確実にするもので、前記ランセットホルダー中やランセットの上に詰まるような駆動スプリングには依存していない。
2007503860.tif 000002
【特許請求の範囲】
【請求項１】
一方の端に駆動ヘッドを有し、他方の端に穿刺針を有する本体を備え、前記本体は本体両側で前記穿刺針の先端位置に向かって突き出す一体成形のウェブを備え、前記ウェブはフレキシブル材料で波状に成形されておりスプリング要素として作動するランセット。
【請求項２】
２つのウェブの波状体が互いに位相が異なっている請求項１に記載のランセット。
【請求項３】
取外しのできる保護キャップが針の露出端の上側に備えられている請求項１又は請求項２に記載のランセット。
【請求項４】
前記キャップが壊れやすい接続部材によって前記ウェブの自由端部に接続されている請求項３に記載のランセット。
【請求項５】
請求項１から請求項４のいずれかに記載のランセットを収納するケーシングを備え、当該収納用のケーシングハウジングと前記ランセットの駆動ヘッドの間に配置した駆動スプリングを備えるランセットホルダー。
【請求項６】
前記ランセットの前記駆動ヘッドが前記ケーシングの可動リブに係止されたフランジを備え、前記ケーシング上の可撓性のあるボタンが前記リブを前記フランジから外し、前記駆動スプリングが前記ランセットを前方に駆動することができる、請求項５に記載のランセットホルダー。
【請求項７】
前記針先端がケーシング上のフランジの上側に配置されたヘッドの付いた取外しできる保護キャップで覆われ、当該ヘッドは捻るとフランジから外すことができ、前記キャップを外して針先端を露出することができる請求項５又は請求項６に記載のランセットホルダー。
【請求項８】
図面を参照してここに説明されたものと実質的に同一のランセットホルダー。
【請求項９】
ここに説明され及び／又は図面に示されたランセットホルダーの新規な組合せ。
【発明の詳細な説明】
【技術分野】
【０００１】
ランセット器具は、ケーシングから針をすばやく瞬時に突き出して患者の皮膚を刺し、血液サンプルを採取するのに使用される。
【発明の開示】
【発明が解決しようとする課題】
【０００２】
前記ランセット器具は操作後に前記針を前記ケーシングに戻す手段を何か備える必要があり、普通、駆動スプリングを有していて、駆動スプリングは開放されると前記針を静止位置を越えて前方へ駆動する。駆動スプリングは次に静止位置に戻り、前記針を前記ケーシングに戻す。本発明の課題は、比較的安価に製造でき、組立が簡単なスプリング式の戻り手段を前記ランセットに与え、戻り用のスプリングを前記ケーシングとランセットの間に配置する必要を無くすことである。
【課題を解決するための手段】
【０００３】
本発明によれば、一方の端部に駆動ヘッドを有し他方の端部に穿刺針を有する本体を備え、前記本体は本体の両側で穿刺針の先端位置に向かって突き出す一体成形のウェブを備え、前記ウェブはスプリング要素として作動するためにフレキシブルな材料で波状に成形されている。
【０００４】
波状ウェブをスプリング要素として用いることにより、前記ウェブは前記ランセット本体と同時に成形することができる。そして、取り付けが必要な分離した戻り用スプリング機構がないので製造時間も組立時間も節約することができる。
【０００５】
２つのウェブの前記波状体は互いに位相が異なるようにできる。
前記ランセットは前記針の露出端の上側に配置した取外し可能な保護キャップを備えるのが理想的である。前記キャップは壊れやすい接続部材によって前記ウェブの自由端部に接続できる。
【０００６】
本発明はまた、前述の本発明に係るランセットを収納するケーシングを備え、前記収納ケーシングのハウジングの端部と前記ランセットの駆動ヘッドの間に配置した駆動スプリングを備えたランセットホルダーに及ぶ。
【０００７】
ランセットの発射機構はランセットの駆動ヘッドと、ケーシングの可動リブに装填された駆動ヘッドのフランジと、ケーシング上の可撓性のあるボタンを備え、当該ボタンは前記リブを前記フランジから外すように動くことができ、前記駆動スプリングが前記ランセットを前方に駆動できるようにする。
【０００８】
針の先端はケーシング上のフランジの上側に配置されたヘッドの付いた取外しできる保護キャップで覆うことができるが、ヘッドは捻るとフランジから外すことができ、キャップを外して針先端を露出することができる。
【発明を実施するための最良の形態】
【０００９】
図１に示すランセットホルダーは外部ケーシング１を備え、外部ケーシング１から操作ボタン２が突き出している。他方の端には保護キャップのヘッド３が突き出している。図２からわかるように、このキャップは延設シャフト４を有しており、延設シャフト４はランセット６の針５の先端を覆い、保護する（図３参照）。このランセット器具を使うときは、キャップのヘッド３を捻ると、ケーシング１の端部のフランジ７からヘッドを外すことができ、ランセット６の端部の針５からキャップを外して引き抜くことができる。
【００１０】
ランセット６はスプリング８によって付勢されているが、しかしケーシング１の一部を形成しランセット６のフランジ１０に対して設けられているリブ９によって、ケーシング１の中に保持されている。使用時は、操作ボタン２が押されると、ボタン２の上のウェブ１１がケーシング１の更に内側に動き、リブ９（ケーシング１に弾力を持って取り付けられている。）を動かしてフランジ１０から離し、ランセット６を開放する。ランセットはコイルスプリング８によって前方に駆動され、針５をケーシング１の端部の開口１２を通って突き出す。ケーシング１を（ボタン２を操作する前に）患者の皮膚に対して保持すれば、針は次に皮膚を突き刺し、少量の血液サンプルの採取ができる。
【００１１】
普通はこうして針のみが瞬時に突き出し、自動的にハウジング１の中に引っ込む。普通はこの動作はある程度スプリング８の跳ね返りによっている。しかし、本発明のランセット器具ではスプリング配列１３が積極的にランセットをケーシングの中に押し返す。このスプリング配列はランセット６と一体成形された一対の波状プラスチックウェブ１４で形成されている。これらのウェブ１４はフレキシブルで、ウェブの先端１５がフランジ部分７の内側にぶつかると折り畳まれる。折り畳まれたウェブ１４に蓄えられたエネルギーは次に解放され、ランセットをケーシング１内に押し返す。図３に示すように、２つのウェブ１４の波状体は互いに位相が異なるようにできる。このようにランセットを積極的に押し返すことは針が安全にケーシングの中に引っ込むことを確実にするもので、ケーシングの中やランセットの上に詰まるような駆動スプリングには依存していない。
【００１２】
製造中にランセット本体６は針５まわりに成形され、ウェブ１４は本体６と一体成形される。次にウェブ１４の先端１５は、成形プロセス中に、薄い接続部材によって針のキャップのシャフト４に接続される。これはキャップが誤って捻られないように保持する。しかし、意識的にキャップのヘッド３が捻られた場合には、ウェブ１４に接続する薄い接続部材が壊れ、キャップを外すことができる。図２に特に示すように、ガイドリブ１６がケーシング１の両半部の中に形成されていて、ランセットがスプリング８で駆動されている間ランセットを案内する。ケーシング１の両半部はフレキシブルヒンジ１７とともに一体成形される。ランセット６とキャップ３がスプリング８とともにケーシングの一方の半部に装填されると、このケーシングの両半部は一体に折り重ねられ、鋲１８が締まり嵌めの穴１９に入り、ケーシングの両半部を一体に固定する。
【図面の簡単な説明】
【００１３】
【図１】本発明のランセットホルダーの斜視図。
【図２】図１のランセットホルダーを開いた状態の図。
【図３】図１と図２のホルダーに収納されたランセットの図。
【図１】
2007503860.tif 000003
【図２】
2007503860.tif 000004
【図３】
2007503860.tif 000005
【国際調査報告】
2007503860.tif 000006
2007503860.tif 000007
2007503860.tif 000008